(57)【特許請求の範囲】
【請求項１】
受信信号のゲインを制御する利得制御部と、
上記受信信号中に含まれる希望周波数の信号の電界強度が第１の閾値以下である弱電界領域において、上記希望周波数の信号の電界強度が第１の所定値であるときに上記受信信号の電界強度がどれ以上あれば上記利得制御部を動作させるかの境界を定める第２の閾値を任意に設定する閾値設定手段と、
上記閾値設定手段により設定された閾値の設定情報を保持しておく閾値情報保持手段と、
上記第１の閾値および上記閾値情報保持手段により保持されている上記第２の閾値と、実際に検出される上記受信信号の電界強度および上記希望周波数の信号の電界強度とに基づいて、上記上記利得制御部を動作させるか否かを制御する制御手段とを備えたことを特徴とする自動利得制御装置。
【請求項２】
上記閾値設定手段は、上記第２の閾値に加えて上記第１の閾値も任意に設定し、上記閾値情報保持手段に上記第１の閾値および上記第２の閾値の設定情報を保持しておくように成されていることを特徴とする請求の範囲第１項に記載の自動利得制御装置。
【請求項３】
上記閾値設定手段は、複数の上記第１の所定値に対する複数の上記第２の閾値を任意に設定し、上記閾値情報保持手段に上記複数の第２の閾値の設定情報を保持しておくように成されていることを特徴とする請求の範囲第１項または第２項に記載の自動利得制御装置。
【請求項４】
上記制御手段は、上記希望周波数の信号の電界強度が上記第１の所定値であるときにおける上記受信信号の第２の閾値と、上記希望周波数の信号の電界強度が上記第１の閾値であるときにおける上記受信信号の第２の所定値との２点を通る関数に従って、実際に検出される上記希望周波数の信号の電界強度に応じた上記受信信号の電界強度に関する閾値を特定し、上記特定した閾値と実際に検出される上記受信信号の電界強度とを比較し、上記受信信号の電界強度が上記特定した閾値以上であるときに上記利得制御部を動作させるように制御することを特徴とする請求の範囲第１項〜第３項の何れか１項に記載の自動利得制御装置。
【発明の詳細な説明】
【技術分野】  本発明は自動利得制御装置に関し、特に、ラジオ受信機などの無線通信装置に強い信号が入力されたときにおける信号の歪みを抑制するためのＡＧＣ動作を行う装置に関するものである。
【背景技術】  一般に、ラジオ受信機などの無線通信装置では、受信信号の利得を調整するためにＡＧＣ（Ａｕｔｏｍａｔｉｃ  Ｇａｉｎ  Ｃｏｎｔｒｏｌ）回路が設けられている。ＲＦ（Ｒａｄｉｏ  Ｆｒｅｑｕｅｎｃｙ）ＡＧＣ回路は、アンテナで受信されたＲＦ信号のゲインを調節して、受信信号のレベルを一定に保つようにするものである。ＲＦ−ＡＧＣ回路は、アンテナ入力信号の電界強度が閾値より大きくないときは動作せず、受信信号のゲインを下げることはない。しかし、アンテナに強電界の信号が入力されて電界強度が閾値を超えると、ＲＦ−ＡＧＣ回路が動作して受信信号のゲインを下げる（例えば、特許文献１，２参照）。
特許文献１：特開平６−２７６１１６号公報
特許文献２：特開２００４−４８１７７号公報
このようなＡＧＣ回路は、受信信号の中に含まれる妨害波のレベルを小さくするのに有効である。例えば、強力な妨害波が入ってきたときに（それによって受信電界強度が閾値を超えたときに）ＲＦ信号のゲインを下げることにより、妨害波の信号レベルが小さくなるようにすることができる。しかし、ゲインを下げる対象とするＲＦ信号の中には、雑音となる妨害波の信号だけでなく、希望周波数の信号も含まれる。よって、ＲＦ−ＡＧＣ回路を動作させると、希望周波数の信号レベルも同時に小さくなってしまう。
そのため、例えば希望周波数の信号レベルが小さいにもかかわらず、強力な妨害波が入ってきた結果として受信電界強度が閾値を超えると、ＡＧＣ回路によってＲＦ信号のゲインが下げられて、元々小さい希望周波数の信号レベルが更に小さくなってしまう。その結果、希望局の受信感度が著しく低下し、目的の音声が殆ど聞こえなくなってしまう不都合を生じることがある。
このような不都合を回避するために、希望周波数の電界強度を検出し、その電界強度が閾値より小さいときはＡＧＣ感度を低下させることによって、希望局が弱電界のときにＡＧＣ動作をさせないようにした技術が提案されている（例えば、非特許文献１参照）。
非特許文献１：Ｄｅｖｅｌｏｐｍｅｎｔ  ｏｆ  Ｈｉｇｈ−ｐｅｒｆｏｒｍａｎｃｅ  ＦＭ  Ｆｒｏｎｔ  Ｅｎｄ  ＩＣ  ｗｉｔｈ  ｉｍｐｒｏｖｅｄ  ｉｎｔｅｒｆｅｒｅｎｃｅ  ｃｈａｒａｃｔｅｒｉｓｔｉｃ；ＩＥＥＥ  Ｔｒａｎｓａｃｔｉｏｎｓ  ｏｎ  Ｃｏｎｓｕｍｅｒ  Ｅｌｅｃｔｒｏｎｉｃｓ，Ｖｏｌ．３７，Ｎｏ．３，ＡＵＧＵＳＴ  １９９１  ｂｙ  Ｓａｎｙｏ  Ｅｌｅｃｔｒｉｃ  Ｃｏ．，Ｌｔｄ．
図１は、この非特許文献１に記載の技術によって実現されるＡＧＣ動作の特性を示す図である。図１に示すように、非特許文献１では、希望周波数の電界強度に応じた検出電圧Ｖｃｏｎｔが２［Ｖ］以上の中・強電界領域では、アンテナ入力信号の電界強度が６０［ｄＢμ］を超えたらＡＧＣ動作がオンとなる。これに対して、検出電圧Ｖｃｏｎｔが２［Ｖ］より小さい弱電界領域では、ＡＧＣ動作がオンとなるための閾値は８５［ｄＢμ］まで引き上げられ、アンテナ入力信号の電界強度が６０［ｄＢμ］を超えても直ちにはＡＧＣ動作がオンとならないようになっている。
しかしながら、上記非特許文献１に記載の技術では、上述の動作はアナログ回路構成のＩＣによって実現されている。そして、中・強電界領域と弱電界領域との境界を定める閾値（以下、本明細書ではこれを「弱電界開始レベル」と呼ぶ）は固定値であり、いったんＩＣを設計した後はこの値を変えることができなかった。また、弱電界領域においてＡＧＣ動作をさせるか否かの境界を定める閾値（以下、本明細書ではこれを「ＡＧＣ開始レベル」と呼ぶ）も固定値であり、いったんＩＣを設計した後はこの値を変えることができなかった。
一般に、ＡＧＣ回路を含むＩＣの設計者は、そのＩＣの応用製品がどんなもので、どんな状況でＩＣが使われるのかが分からないため、弱電界開始レベルやＡＧＣ開始レベルをどの程度の値に設定するのが最適かについては知ることが困難である。実際、そのＩＣがラジオ受信機に使われるのか、携帯電話機に使われるのか、あるいはその他のどんな無線通信装置に使われるのかによって、希望波の受信状態や妨害波の入り方などの状況が全く異なる。また、同じラジオ受信機でも、それが家庭用オーディオ装置に組み込まれるものなのか、カーラジオなのかによっても希望波や妨害波の受信状況は全く異なる。そのため、弱電界時における希望波の受信感度を損なわずに最適なＲＦ−ＡＧＣ制御を行うのに要求される弱電界開始レベルやＡＧＣ開始レベルの値は、使用される製品毎に異なる。
つまり、本来であれば、ＩＣのセットメーカ等がフィールドテスト等を行い、その結果から得られた最適な値を弱電界開始レベルやＡＧＣ開始レベルとして設定することが望まれる。しかしながら、上述したように非特許文献１に記載の技術では、弱電界開始レベルもＡＧＣ開始レベルも固定値でカスタマイズすることができない。そのため、弱電界時における希望波の受信感度を損なわずに最適なＲＦ−ＡＧＣ制御を行うことが実質的に困難であるという問題があった。
【発明の開示】
本発明は、このような問題を解決するために成されたものであり、弱電界時における希望波の受信感度を損なわずに最適なＲＦ−ＡＧＣ制御を行うことができるようにすることを目的とする。
上記した課題を解決するために、本発明の自動利得制御装置では、弱電界領域において、希望周波数の信号の電界強度が所定値であるときに受信信号の電界強度がどれ以上あれば利得制御部を動作させるかの境界を定める第２の閾値を任意に設定し、その設定値を利用して利得制御部の動作をＯＮ／ＯＦＦさせるようにしている。本発明の他の態様では、第２の閾値に加え、受信信号中に含まれる希望周波数の信号の電界強度がどれ以下あれば弱電界領域であるかの境界を定める第１の閾値も任意に設定し、その設定値を利用して利得制御部の動作をＯＮ／ＯＦＦさせるようにしている。
上記のように構成した本発明によれば、例えば、本発明の自動利得制御装置を含んだＩＣのセットメーカ等がフィールドテスト等を行い、その結果から得られた最適な値を第１の閾値（弱電界開始レベル）や第２の閾値（ＡＧＣ開始レベル）として設定することができる。これにより、弱電界時における希望周波数の受信感度を損なわずに最適なＡＧＣ制御を行うことができる。
【図面の簡単な説明】  図１は、従来の技術によって実現されるＡＧＣ動作の特性を示す図である。
図２は、本発明の自動利得制御装置を実施したラジオ受信機の要部構成例を示すブロック図である。
図３は、本実施形態の自動利得制御部によって実現されるＡＧＣ制御の一例を示す特性図である。
図４は、本実施形態の弱電界ＡＧＣテーブル記憶部に記憶されるテーブル情報の一例を示す図である。
図５は、本実施形態の自動利得制御部によって実現されるＡＧＣ制御の他の例を示す特性図である。
図６は、本実施形態の弱電界ＡＧＣテーブル記憶部に記憶されるテーブル情報の他の例を示す図である。
図７は、本実施形態の自動利得制御部によって実現されるＡＧＣ制御の他の例を示す特性図である。
【発明を実施するための最良の形態】  以下、本発明の一実施形態を図面に基づいて説明する。図２は、本発明の自動利得制御装置を実施したラジオ受信機の要部構成例を示すブロック図である。また、図３は、本実施形態の自動利得制御部１１によって実現されるＡＧＣ制御例を示す特性図である。
図２において、１はアンテナであり、ラジオ放送波の信号を受信する。２は高周波増幅回路（ＲＦアンプ）であり、アンテナ１で受信した放送波の高周波信号（受信信号）を増幅する。増幅のゲインは、本実施形態の自動利得制御部１１（後述する）によって決められる。
３は混合回路（ミキサ）、４は局部発振回路であり、これらによって周波数変換器が構成される。この周波数変換器は、ＲＦアンプ２から出力される高周波信号と、局部発振回路４から出力される局部発振信号とをミキサ３で混合し、周波数変換を行って中間周波信号を生成して出力する。５は帯域通過フィルタ（ＢＰＦ）であり、ミキサ３から出力される中間周波信号に帯域制限を行って、受信希望周波数帯域の中間周波信号を生成する。
６は中間周波増幅回路（ＩＦアンプ）であり、ＢＰＦ５より出力された中間周波信号（希望周波数の信号）を増幅する。７は受信信号レベル検出回路であり、ＲＦアンプ２より出力される高周波増幅信号を検波し、受信信号（希望周波数の信号の他に、妨害波の信号も含まれている）の電界強度Ｅｉを検出する。８はＡ／Ｄ変換回路であり、受信信号レベル検出回路７により検出された電界強度Ｅｉのアナログ値をデジタルデータに変換する。
９は希望波信号検出回路であり、ＩＦアンプ６より出力される中間周波増幅信号を検波し、希望周波数の信号の電界強度Ｅｔを検出する。１０はＡ／Ｄ変換回路であり、希望波信号検出回路９により検出された電界強度Ｅｔのアナログ値をデジタルデータに変換する。Ａ／Ｄ変換回路８，１０によりデジタルデータとされた電界強度Ｅｉ，Ｅｔの検出値は、本実施形態の自動利得制御部１１に入力される。
本実施形態の自動利得制御部１１は、ＲＦ−ＡＧＣ回路２１、閾値設定／制御部２２、弱電界ＡＧＣテーブル記憶部２３およびレジスタ２４を備えている。ＲＦ−ＡＧＣ回路２１は、ＲＦアンプ２における受信信号の増幅度を調節することにより、受信信号のゲインを制御するものであり、本発明の利得制御部に相当する。
このＲＦ−ＡＧＣ回路２１は、受信信号の電界強度Ｅｉが閾値より大きくないときは動作せず、受信信号のレベルを減少させることはない。しかし、受信信号の電界強度Ｅｉが閾値より大きいときには、ＲＦ−ＡＧＣ回路２１が動作して、妨害波の信号レベルが小さくなるようにするとともに、ラジオ受信機に過大な電力が加えられないようにする。ここで、図３を用いて閾値について説明する。
図３において、縦軸は受信信号レベル検出回路７により検出される受信信号の電界強度Ｅｉ［ｄＢμ］を示し、横軸は希望波信号検出回路９により検出される希望周波数の信号の電界強度Ｅｔ［ｄＢμ］を示している。図３に示すように、希望周波数の信号の電界強度Ｅｔが第１の閾値（弱電界開始レベル）Ｅｔ１以下の領域を弱電界領域、第１の閾値Ｅｔ１より大きい領域を中・強電界領域としている。本実施形態において、弱電界開始レベルＥｔ１は固定の値である。
中・強電界領域において、受信信号の電界強度Ｅｉが６０［ｄＢμ］（本発明による第２の所定値に相当）より小さいときは、ＲＦ−ＡＧＣ回路２１は動作せず、受信信号のレベルを減少させることはない。一方、受信信号の電界強度Ｅｉが６０［ｄＢμ］より大きいときは、ＲＦ−ＡＧＣ回路２１が動作して、受信信号のレベルを減少させる。本実施形態においては、第２の所定値も固定の値であるが、６０［ｄＢμ］という数値は単なる一例に過ぎない。
このように、中・強電界領域において、受信信号の電界強度Ｅｉがどれ以上あればＲＦ−ＡＧＣ回路２１を動作させるかの境界を定める閾値（ＡＧＣ開始レベル）は、第２の所定値に固定された値である。これに対して、弱電界領域におけるＡＧＣ開始レベルは、ユーザが任意に設定することができるようにしている。そのために、本実施形態の自動利得制御部１１は、閾値設定／制御部２２、弱電界ＡＧＣテーブル記憶部２３およびレジスタ２４を備えている。
弱電界ＡＧＣテーブル記憶部２３は、希望周波数の信号の電界強度Ｅｔが弱電界領域における第１の所定値Ｅｔ０であるときに、受信信号の電界強度Ｅｉがどれ以上あればＲＦ−ＡＧＣ回路２１を動作させるかの境界を定めるＡＧＣ開始レベルＥｉ０（本発明による第２の閾値に相当）としてユーザが任意に設定可能な値を、各々の値をユニークに識別可能な識別値と対応付けてテーブル情報として記憶している。
図４に、この弱電界ＡＧＣテーブル記憶部２３に記憶されるテーブル情報の一例を示す。図４の例によれば、ユーザは、希望周波数の信号の電界強度Ｅｔが第１の所定値Ｅｔ０であるときにおけるＡＧＣ開始レベルＥｉ０の値として、６０［ｄＢμ］、７０［ｄＢμ］、８０［ｄＢμ］、９０［ｄＢμ］、１００［ｄＢμ］の５種類を任意に選択して設定することができる。なお、ここに挙げた数値は単なる一例に過ぎない。
レジスタ２４は、ＡＧＣ開始レベルＥｉ０の設定情報を保持しておくものであり、本発明の閾値情報保持手段に相当する。具体的には、レジスタ２４は、設定されたＡＧＣ開始レベルＥｉ０の識別値を保持する。閾値設定／制御部２２は、ＡＧＣ開始レベルＥｉ０を設定し、設定したＡＧＣ開始レベルＥｉ０の識別値をレジスタ２４に格納するものであり、本発明の閾値設定手段に相当する。この閾値設定／制御部２２は、例えばＤＳＰ（Ｄｉｇｉｔａｌ  Ｓｉｇｎａｌ  Ｐｒｏｃｅｓｓｏｒ）やＣＰＵによって構成することが可能である。
ＡＧＣ開始レベルＥｉ０の設定は、操作部１２を用いたユーザからの指示に基づいて実行する。例えば、操作部１２はディップスイッチなどによって構成されており、スイッチの切り替えによってＡＧＣ開始レベルＥｉ０の値を５種類の中から任意に選択できるようになっている。閾値設定／制御部２２は、操作部１２から与えられるスイッチの選択信号に基づいて、選択されたＡＧＣ開始レベルＥｉ０の値を表す識別値をレジスタ２４に設定する。
なお、ここでは操作部１２の例としてディップスイッチを挙げているが、これは単なる一例に過ぎない。ユーザの操作によってＡＧＣ開始レベルＥｉ０の値を任意に選択できる手段であれば、ディップスイッチでなくても良い。
閾値設定／制御部２２は、本発明の制御手段も構成する。すなわち、閾値設定／制御部２２は、あらかじめ固定値として持っている弱電界開始レベルＥｔ１と、レジスタ２４に保持されている識別値をもとに弱電界ＡＧＣテーブル記憶部２３を参照することによって得られるＡＧＣ開始レベルＥｉ０と、実際に検出される受信信号の電界強度Ｅｉおよび希望周波数の信号の電界強度Ｅｔ（Ａ／Ｄ変換回路８，１０より出力される電界強度Ｅｉ，Ｅｔのデジタルデータ値）とに基づいて、ＲＦ−ＡＧＣ回路２１を動作させるか否かを制御する。
具体的には、閾値設定／制御部２２は、希望周波数の信号の電界強度Ｅｔが第１の所定値Ｅｔ０であるときにおける受信信号のＡＧＣ開始レベルＥｉ０（図３中に示す点Ａの値）と、希望周波数の信号の電界強度Ｅｔが弱電界開始レベルＥｔ１であるときにおける受信信号の第２の所定値（図３中に示す点Ｂの値）との２点を通る関数に従って、Ａ／Ｄ変換回路１０より出力される希望周波数の信号の電界強度Ｅｔに応じた受信信号の電界強度に関する閾値を特定する。そして、その特定した閾値と、Ａ／Ｄ変換回路８より出力される受信信号の電界強度Ｅｉとを比較し、受信信号の電界強度Ｅｉが当該特定した閾値以上であるときに、ＲＦ−ＡＧＣ回路２１を動作させるように制御する。
ここで、点Ａ，Ｂを通る関数としては、例えば１次関数を用いる。この場合、弱電界領域におけるＡＧＣ開始レベル（Ａ／Ｄ変換回路１０より出力される希望周波数の信号の電界強度Ｅｔに応じた受信信号の電界強度に関する閾値）は、図３中に示す直線ａ，ｂ，ｃ上の値になる。直線ａはＡＧＣ開始レベルＥｉ０を１００［ｄＢμ］に設定した場合、直線ｂはＡＧＣ開始レベルＥｉ０を９０［ｄＢμ］に設定した場合、直線ｃはＡＧＣ開始レベルＥｉ０を７０［ｄＢμ］に設定した場合の弱電界領域におけるＡＧＣ開始レベルを示している。
例えば、ＡＧＣ開始レベルＥｉ０を１００［ｄＢμ］に設定した場合、実際に検出される希望周波数の信号の電界強度ＥｔがＥｔ０とＥｔ１のちょうど中間値（＝Ｅｔ０＋（Ｅｔ１−Ｅｔ０）／２）であれば、実際に検出される受信信号の電界強度Ｅｉとの比較対象となる閾値であるＡＧＣ開始レベルは、８０［ｄＢμ］（＝６０＋（１００−６０）／２）となる。すなわち、閾値設定／制御部２２は、Ａ／Ｄ変換回路１０より出力される希望周波数の信号の電界強度ＥｔがＥｔ０＋（Ｅｔ１−Ｅｔ０）／２であれば、Ａ／Ｄ変換回路８より出力される受信信号の電界強度Ｅｉが８０［ｄＢμ］以上であるときに、ＲＦ−ＡＧＣ回路２１を動作させるように制御する。
以上詳しく説明したように、本実施形態においては、弱電界領域におけるＡＧＣ開始レベルＥｉ０をユーザが任意に設定できるように構成したので、例えば本実施形態の自動利得制御部１１を含むＩＣのセットメーカ等がフィールドテスト等を行い、その結果から得られた好ましい値をＡＧＣ開始レベルＥｉ０として設定することができる。これにより、本実施形態の自動利得制御部１１が適用される製品によらず、弱電界領域における希望周波数の受信感度を損なわずに適切なＲＦ−ＡＧＣ制御を行うことができるようになる。
また、本実施形態では、受信信号の電界強度Ｅｉや希望周波数の信号の電界強度Ｅｔをデジタルデータに変換し、デジタル信号処理としてＲＦ−ＡＧＣ回路２１の動作のＯＮ／ＯＦＦを制御するようにしている。これにより、弱電界領域において、例えば図３に示すようなリニアな関数に従ってＡＧＣ開始レベルを設定することができるというメリットもある。
なお、上記実施形態では、図３の点Ａ，Ｂを通る１次関数を用いて弱電界領域におけるＡＧＣ開始レベルを設定する例について説明したが、用いる関数はこれに限定されない。例えば、図３の点Ａ，Ｂを通る２次関数やその他の関数を用いて弱電界領域におけるＡＧＣ開始レベルを設定するようにしても良い。
また、上記実施形態では弱電界領域におけるＡＧＣ開始レベルを所定の関数に従って特定する例について説明したが、これに限定されない。例えば、レジスタ２４に設定したＡＧＣ開始レベルＥｉ０を弱電界領域全体のＡＧＣ開始レベルとして用いるようにしても良い。弱電界領域全体にわたってＡＧＣ開始レベルを同じ値Ｅｉ０としても、そのＡＧＣ開始レベルＥｉ０自体を任意に設定することができるので、従来に比べて自由度は大きくなっている。
ただし、弱電界領域におけるＡＧＣ開始レベルを所定の関数に従って特定すれば、希望周波数の信号の電界強度Ｅｔに応じて弱電界領域におけるＡＧＣ開始レベルをきめ細かく設定することができるので、より好ましい。弱電界領域においては、希望周波数の信号の電界強度Ｅｔの値自体が小さく、ＲＦ−ＡＧＣ回路２１によって受信信号のレベルを無闇に下げてしまうと、希望周波数の受信感度が極めて小さくなってしまう恐れがある。これは、希望周波数の信号の電界強度Ｅｔが小さくなればなるほどそう言える。したがって、所定の関数を用いて、希望周波数の信号の電界強度Ｅｔが小さくなるに従ってＡＧＣ開始レベルが大きくなるようにすれば、より適切なＲＦ−ＡＧＣ制御を行うことができる。
また、上記実施形態では、弱電界領域における点Ａの１点についてのみＡＧＣ開始レベルＥｉ０をユーザが設定する例について説明したが、本発明はこれに限定されない。例えば、弱電界領域における離散的な複数の点におけるＡＧＣ開始レベルをユーザが任意に設定するようにしても良い。この場合において、設定した各ＡＧＣ開始レベルの間におけるＡＧＣ開始レベルは、所定の関数を用いて設定するようにしても良いし、関数によらず一定の値としても良い（後者の場合、弱電界領域におけるＡＧＣ開始レベルは図５のように階段状となる）。
また、上記実施形態では、弱電界開始レベルはあらかじめ決められた固定値Ｅｔ１であるとしているが、これもユーザが任意に設定できるようにしても良い。すなわち、閾値設定／制御部２２は、ＡＧＣ開始レベルＥｉ０に加え、弱電界開始レベルも任意に設定し、その識別値をレジスタ２４に保持しておく。このように構成する場合、弱電界ＡＧＣテーブル記憶部２３に記憶されるテーブル情報は、例えば図６のようなものとなる。
このように弱電界開始レベルも任意に設定できるように構成した場合、弱電界領域全体におけるＡＧＣ開始レベルは、例えば図７中に示す直線ａ，ｅ上の値になる。直線ａは図３に示した直線ａと同じであり、ＡＧＣ開始レベルＥｉ０を１００［ｄＢμ］、弱電界開始レベルをＥｔ１に設定した場合の弱電界領域におけるＡＧＣ開始レベルを示している。また、直線ｅはＡＧＣ開始レベルＥｉ０を９０［ｄＢμ］、弱電界開始レベルをＥｔ２に設定した場合の弱電界領域におけるＡＧＣ開始レベルを示している。このようにＡＧＣ開始レベルＥｉ０に加えて弱電界開始レベルもユーザが設定できるようにすることで、弱電界領域におけるＡＧＣ開始レベルをよりきめ細かく設定することができ、より適切なＲＦ−ＡＧＣ制御を行うことができる。
また、上記実施形態では、電界強度を［ｄＢμ］単位で比較する例について説明しているが、これに限定されない。例えば、電界強度に応じた電圧値を検出し、［Ｖ］単位で電界強度を比較するようにしても良い。
また、上記実施形態では、本実施形態の自動利得制御部１１をラジオ受信機に実施する例について説明したが、実施する製品はラジオ受信機に限定されない。
その他、上記実施形態は、何れも本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】  本発明の自動利得制御装置は、高周波信号を受信して処理する無線通信装置に有用である。
【図１】
0004387435.tif 000002
【図２】
0004387435.tif 000003
【図３】
0004387435.tif 000004
【図４】
0004387435.tif 000005
【図５】
0004387435.tif 000006
【図６】
0004387435.tif 000007
【図７】
0004387435.tif 000008